【手続補正書】
【提出日】平成20年8月26日(2008.8.26)
【手続補正１】
【補正対象書類名】特許請求の範囲
【補正対象項目名】全文
【補正方法】変更
【補正の内容】
【特許請求の範囲】
【請求項１】
使用者の尿を受けるボールと、
前記ボールと下水配管とを連通させ、且つこの下水配管を水封する溜水を形成するトラップと、
前記溜水の、便器使用後に形成され次回便器使用時まで待機するときの前記溜水の水位である待機水位及び使用者が測定のために放尿を開始するときの前記溜水の水位である測定開始水位を、各々所定の設定水位に形成する水位形成手段と、
ボール内の前記溜水の水位を測定する水位測定手段とを有し、
前記水位測定手段の測定値に基づいて使用者が前記ボールに排泄した尿に関して少なくとも尿量を含む排尿情報を求める排尿情報測定便器において、
前記下水配管内の圧力変動が前記溜水の水位に与える影響量として下水圧変動影響量を計測する下水圧変動影響量計測手段と、
前記下水圧変動影響量計測手段の計測結果に基づいて前記設定水位を選定する溜水水位選定手段とを有し、
前記水位形成手段は前記溜水の水位を選定された前記設定水位に形成することによって、
前記待機水位及び前記測定開始水位の設定水位を下水配管内の圧力変動に応じた所定水位に設定可能としたことを特徴とする排尿情報測定便器。
【請求項２】
前記溜水水位選定手段は前記下水圧変動量の所定値を前記設定水位を選定するための閾値として有し、
前記下水圧変動影響量計測手段の計測した所定期間の観測値が、
前記閾値以下であるときは、
前記溜水水位選定手段は前記待機水位及び前記測定開始水位として予め定められた第１所定水位を選定すると共に、前記水位形成手段は便器使用後に選定された前記第１所定水位を形成して次回使用時まで待機し、
前記観測値が前記閾値を超えているときは、
前記溜水水位選定手段は、前記待機水位として前記第１所定水位より高く且つ便器の溢流水位以下の予め定められた第２所定水位を、かつ、前記測定開始水位として前記第１所定水位より低い水位の予め定められた第３所定水位を選定すると共に、
前記水位形成手段は、便器使用後に選定された前記第２所定水位を形成して次回使用時まで待機し、かつ、前記次回使用時の測定開始前に選定された前記第３所定水位に水位を形成する、ことを特徴とする請求項１に記載の排尿情報測定便器。
【請求項３】
前記第２所定水位を溢流水位とする
ことを特徴とする請求項２に記載の排尿情報測定便器。
【請求項４】
前記溜水水位選定手段は、前記待機水位または測定開始水位の前記設定水位の少なくとも一方を前記下水圧変動影響量計測手段の計測結果によらず手動で指定する設定水位指定手段を有することを特徴とする請求項１乃至３のいずれか一項に記載の排尿情報測定便器。
【請求項５】
排尿情報測定中に、前記水位選定手段の選定に使用した前記観測値と異なる圧力値を前記下水圧変動影響量計測手段が測定した時には、
排尿情報測定の結果に測定信頼性に関する情報を付加する
ことを特徴とする請求項１乃至４のいずれか一項に記載の排尿情報測定便器。
【請求項６】
前記下水圧変動影響量計測手段は下水圧力を測定する下水圧力計測手段であり、計測された圧力変動量から影響量である溜水変化量を算出することを特徴とする請求項１乃至５のいずれか一項に記載の排尿情報測定便器。
【手続補正２】
【補正対象書類名】明細書
【補正対象項目名】００１９
【補正方法】変更
【補正の内容】
【００１９】
上記目的を達成するために請求項１記載の発明によれば、使用者の尿を受けるボールと、
前記ボールと下水配管とを連通させ、且つこの下水配管を水封する溜水を形成するトラップと、
前記溜水の、便器使用後に形成され次回便器使用時まで待機するときの前記溜水の水位である待機水位及び使用者が測定のために放尿を開始するときの前記溜水の水位である測定開始水位を、各々所定の設定水位に形成する水位形成手段と、
ボール内の前記溜水の水位を測定する水位測定手段とを有し、
前記水位測定手段の測定値に基づいて使用者が前記ボールに排泄した尿に関して少なくとも尿量を含む排尿情報を求める排尿情報測定便器において、
前記下水配管内の圧力変動が前記溜水の水位に与える影響量として下水圧変動影響量を計測する下水圧変動影響量計測手段と、
前記下水圧変動影響量計測手段の計測結果に基づいて前記設定水位を選定する溜水水位選定手段とを有し、
前記水位形成手段は前記溜水の水位を選定された前記設定水位に形成することによって、
前記待機水位及び前記測定開始水位の設定水位を下水配管内の圧力変動に応じた所定水位に設定可能としたことを特徴とすることにより、
下水配管の圧力変動状態や測定範囲等の水位設定に必要な情報を水位設定情報として取得することによって、排尿情報測定便器が設置される現場毎に異なる装置の測定仕様の設定が、装置の設置環境に応じて変更可能となるため、測定中の溜水の溢流による測定誤差の発生や便器破封による汚臭の逆流などの不具合の発生等を防止しながら、装置の設置環境に最適な排尿情報測定を行なうことができる。
【手続補正３】
【補正対象書類名】明細書
【補正対象項目名】００２０
【補正方法】削除
【補正の内容】
【手続補正４】
【補正対象書類名】明細書
【補正対象項目名】００２１
【補正方法】変更
【補正の内容】
【００２１】
また、請求項２記載の発明のよれば、前記溜水水位選定手段は前記下水圧変動量の所定値を前記設定水位を選定するための閾値として有し、
前記下水圧変動影響量計測手段の計測した所定期間の観測値が、
前記閾値以下であるときは、
前記溜水水位選定手段は前記待機水位及び前記測定開始水位として予め定められた第１所定水位を選定すると共に、前記水位形成手段は便器使用後に選定された前記第１所定水位を形成して次回使用時まで待機し、
前記観測値が前記閾値を超えているときは、
前記溜水水位選定手段は、前記待機水位として前記第１所定水位より高く且つ便器の溢流水位以下の予め定められた第２所定水位を、かつ、前記測定開始水位として前記第１所定水位より低い水位の予め定められた第３所定水位を選定すると共に、
前記水位形成手段は、便器使用後に選定された前記第２所定水位を形成して次回使用時まで待機し、かつ、前記次回使用時の測定開始前に選定された前記第３所定水位に水位を形成する、ことを特徴とすることにより、
下水圧変動の影響量が小さい時は、測定準備動作のための待ち時間無くすぐに測定が実施でき、また、影響量が大きい時でも便器の破封による汚臭の発生や測定中の溜水の溢流による誤測定を防止できる、といった設置された現場の下水圧変動環境に対して最適な使い勝手と排尿情報の測定仕様設定が人手を介することなく自動的に行なえる。
【手続補正５】
【補正対象書類名】明細書
【補正対象項目名】００２２
【補正方法】変更
【補正の内容】
【００２２】
また、請求項３記載の発明のよれば、前記第２所定水位を溢流水位とする
ことを特徴とすることにより、
待機水位が溢流水位であるため、設定水位形成のための水位設定手段の精度がそれ程必要とされず装置の構成が簡単となる。また通常の便器洗浄動作で水位設定が行なえ測定のためだけの動作を必要としないため、一回の測定に必要とする測定サイクル時間が短縮でき、次回の測定がより短時間で可能となる。
【手続補正６】
【補正対象書類名】明細書
【補正対象項目名】００２３
【補正方法】変更
【補正の内容】
【００２３】
また、請求項４記載の発明のよれば、前記溜水水位選定手段は、前記待機水位または測定開始水位の前記設定水位の少なくとも一方を前記下水圧変動影響量計測手段の計測結果によらず手動で指定する設定水位指定手段を有することを特徴とすることにより、
使い勝手と衛生性のどちらを優先するかの判断を、設置現場の器具管理者の考え方に委ねることを可能とした。
【手続補正７】
【補正対象書類名】明細書
【補正対象項目名】００２４
【補正方法】変更
【補正の内容】
【００２４】
また、請求項５記載の発明のよれば、排尿情報測定中に、前記水位選定手段の選定に使用した前記観測値と異なる圧力値を前記下水圧変動影響量計測手段が測定した時には、
排尿情報測定の結果に測定信頼性に関する情報を付加する
ことを特徴とすることにより、
排尿情報を利用する医療関係者が測定値に関する信頼性を把握した上で処置を検討できるため、処置の誤りが発生することを防止すると共に、仮に処置の誤りが発生したとしても、迅速な対処を促すことを可能とした。
【手続補正８】
【補正対象書類名】明細書
【補正対象項目名】００２５
【補正方法】変更
【補正の内容】
【００２５】
また、請求項６記載の発明のよれば、前記下水圧変動影響量計測手段は下水圧力を測定する下水圧力測定手段であることを特徴とすることにより、
下水排管内の圧力変動を計測してそれが溜水水位に与える水位変化量を影響量として演算するようにしたため、
単純に圧力センサーを設けるだけで便器に大掛かりな加工を施す必要が無く、簡便にボール部とトラップの溜水が受ける影響量を求めることができる。
【手続補正９】
【補正対象書類名】明細書
【補正対象項目名】００９４
【補正方法】変更
【補正の内容】
【００９４】
すなわち、本実施例は「自動」及び「手動」という２種類の水位選定情報の取得形態（モード）を兼ね備えている。本実施例の変形例として、取得形態を「手動」モードのみ、即ち、溜水水位選定手段の構成を、水位選定に必要な水位選定情報を人手で全て入力する水位選定情報入力部を設けることによって装置が情報取得する構成として、水位選定情報を自動で取得する手段の一つである下水圧変動影響量計測手段を設けない構成とすることも可能である。